(57)【特許請求の範囲】
【請求項１】
燃料極の燃料ガスと空気極の酸化剤ガスにより発電し、前記燃料極からアノードオフガスが排出され、前記空気極からカソードオフガスが排出される燃料電池と、
前記アノードオフガスの少なくとも一部を前記燃料電池での発電に供するアノードオフガス再利用路と、
前記アノードオフガス再利用路に設けられ、前記アノードオフガスと前記空気極へ向かう前記酸化剤ガスとで熱交換を行う空気予熱部と、
前記カソードオフガスの分岐された一部と前記燃料極へ向かう燃料ガスとで熱交換を行う燃料熱交換部と、
前記アノードオフガスの一部と前記カソードオフガスの分岐された他部が供給され、内部で前記アノードオフガスを燃焼させる燃焼部と、
前記燃焼部から排出される燃焼排ガスと前記空気予熱部を経た前記酸化剤ガスとで熱交換を行う空気熱交換部と、
を備えた燃料電池システム。
【請求項２】
前記アノードオフガス再利用路に設けられ、前記空気予熱部よりも下流側に前記アノードオフガスから水または二酸化炭素の少なくとも一方を除去する燃料再生部、
を備えた、請求項１に記載の燃料電池システム。
【請求項３】
前記アノードオフガス再利用路は、前記燃料電池から送出されるアノードオフガスを前記燃料電池へ循環させる循環路を含んでいる、請求項１または請求項２に記載の燃料電池システム。
【請求項４】
前記循環路は、前記アノードオフガスについて前記空気予熱部よりも下流側で前記燃料ガスと合流される、請求項３に記載の燃料電池システム。
【請求項５】
前記燃料電池は、前記燃料ガスが供給されて発電する第１燃料電池と、前記第１燃料電池からのアノードオフガスが前記アノードオフガス再利用路経由で供給されて発電する第２燃料電池を含む、請求項１〜請求項４のいずれか１項に記載の燃料電池システム。
【請求項６】
前記空気予熱部は、前記第１燃料電池よりも下流側、前記第２燃料電池よりも上流側に設けられている、請求項５に記載の燃料電池システム。
【請求項７】
前記燃料熱交換部では、前記第２燃料電池から送出されたカソードオフガスと前記燃料極へ向かう燃料ガスとで熱交換を行う、
請求項５または請求項６に記載の燃料電池システム。
【発明の詳細な説明】
【技術分野】
【０００１】
本発明は燃料電池システムに関する。
【背景技術】
【０００２】
高温で作動する燃料電池システムにおいて、熱を有効利用することが行われている。例えば、特許文献１には、水分回収装置において、貯水部を挟んで上流側のアノードオフガスと下流側のアノードオフガスで熱交換が行われる技術が開示されている。
【先行技術文献】
【特許文献】
【０００３】
【特許文献１】特開２００４−１９９９７９号公報
【発明の概要】
【発明が解決しようとする課題】
【０００４】
近年、アノードオフガスを再利用して発電を行う高効率の燃料電池システムが開発されているが、当該燃料電池システムにおいては、発電効率を高めるためには、発電時に発生する熱のさらなる有効利用が求められている。
【０００５】
本発明は上記事実を考慮して成されたものであり、燃料電池システムにおいて、システム内で熱を有効利用することを目的とする。
【課題を解決するための手段】
【０００６】
請求項１に係る燃料電池システムは、燃料極の燃料ガスと空気極の酸化剤ガスにより発電し、前記燃料極からアノードオフガスが排出され、前記空気極からカソードオフガスが排出される燃料電池と、前記アノードオフガスの少なくとも一部を前記燃料電池での発電に供するアノードオフガス再利用路と、前記アノードオフガス再利用路に設けられ、前記アノードオフガスと前記空気極へ向かう前記酸化剤ガスとで熱交換を行う空気予熱部と、前記カソードオフガスの分岐された一部と前記燃料極へ向かう燃料ガスとで熱交換を行う燃料熱交換部と、前記アノードオフガスの一部と前記カソードオフガスの分岐された他部が供給され、内部で前記アノードオフガスを燃焼させる燃焼部と、前記燃焼部から排出される燃焼排ガスと前記空気予熱部を経た前記酸化剤ガスとで熱交換を行う空気熱交換部と、を備えている。
【０００７】
請求項１に係る燃料電池システムでは、アノードオフガス再利用路に設けられた空気予熱部において、アノードオフガスと空気極へ向かう酸化剤ガスとで熱交換が行われる。また、燃料熱交換部において、カソードオフガスと燃料極へ向かう燃料ガスとで熱交換が行われる。このように、アノードオフガス、カソードオフガスの各々が、燃料電池へ向かう流体と熱交換するので、熱を有効利用することができる。
【０００８】
なお、ここでの燃料ガスは、燃料極へ向かうガスであり、改質後の燃料ガスだけでなく、改質前の原料ガスを含んでいる。
【０００９】
請求項１に係る燃料電池システムは、前記アノードオフガスの一部と前記カソードオフガスの他部が供給され、内部で前記アノードオフガスを燃焼させる燃焼部と、前記燃焼部から排出される燃焼排ガスと前記空気予熱部を経た前記酸化剤ガスとで熱交換を行う空気熱交換部と、を備えている。
【００１０】
請求項１に係る燃料電池システムは、アノードオフガスの一部とカソードオフガスの他部が供給され、内部でアノードオフガスを燃焼させる燃焼部を有している。そして、空気熱交換部において、燃焼部から排出される燃焼排ガスと空気予熱部を経た酸化剤ガスとで熱交換が行われる。このように、燃焼排ガスと空気予熱部を経た酸化剤ガスとで熱交換が行われるので、高温の燃焼排ガスが保有する熱を、昇温が必要な酸化剤ガスに熱交換で授受することができ、システム内で熱を有効利用することができる。
【００１１】
請求項２に係る燃料電池システムは、前記アノードオフガス再利用路に設けられ、前記空気予熱部よりも下流側に前記アノードオフガスから水または二酸化炭素の少なくとも一方を除去する燃料再生部、を備えている。
【００１２】
請求項２に係る燃料電池システムによれば、燃料再生部によりアノードオフガスから水または二酸化炭素の少なくとも一方が除去される。水や二酸化炭素は、発電反応に寄与せず、燃料極ガスを希釈して発電反応を滞らせる成分となっているので、除去することにより、アノードオフガスを再利用する燃料電池での発電効率を高めることができる。また、燃料再生部は、空気予熱部よりも下流側に配置されているので、燃料再生部において温度低下する前のアノードオフガスと酸化剤ガスとで熱交換を行い、システム内で熱を有効利用することができる。
【００１３】
請求項３に係る燃料電池システムは、前記アノードオフガス再利用路が、前記燃料電池から送出されるアノードオフガスを前記燃料電池へ循環させる循環路を含んでいる。
【００１４】
請求項３に係る燃料電池システムによれば、アノードオフガスを循環させて発電に再利用することにより、発電効率を高めることができる。
【００１５】
請求項４に係る燃料電池システムは、前記循環路は、前記アノードオフガスについて前記空気予熱部よりも下流側で前記燃料ガスと合流される。
【００１６】
請求項４に係る燃料電池システムでは、アノードオフガスは、燃料ガスと合流する前に酸化剤ガスと熱交換するので、比較的流量の多い酸化剤ガスを効果的に加熱することができる。
【００１７】
請求項５に係る燃料電池システムは、前記燃料電池は、前記燃料ガスが供給されて発電する第１燃料電池と、前記第１燃料電池からのアノードオフガスが前記アノードオフガス再利用路経由で供給されて発電する第２燃料電池を含む。
【００１８】
請求項５に係る燃料電池システムによれば、第１燃料電池からのアノードオフガスを第２燃料電池で発電に再利用することにより、発電効率を高めることができる。
【００１９】
請求項６に係る燃料電池システムは、前記空気予熱部は、前記第１燃料電池よりも下流側、前記第２燃料電池よりも上流側に設けられている。
【００２０】
請求項６に係る燃料電池システムによれば、燃料再生を効果的に行うことができる。
【００２１】
請求項７に係る燃料電池システムは、前記燃料熱交換部では、前記第２燃料電池から送出されたカソードオフガスと前記燃料極へ向かう燃料ガスとで熱交換を行う。
【００２２】
請求項７に係る燃料電池システムによれば、カソードオフガスの熱を有効に利用することができる。
【発明の効果】
【００２３】
本発明に係る燃料電池システムによれば、燃料電池システムにおいて、システム内で発電時に発生する熱を、システム内部での熱交換を促進することで、有効利用することができる。これにより、発電システムの効率を向上することができる。
【図面の簡単な説明】
【００２４】
【図１】第１実施形態に係る燃料電池システムの概略構成図である。
【図２】第２実施形態に係る燃料電池システムの概略構成図である。
【発明を実施するための形態】
【００２５】
［第１実施形態］
以下、図面を参照して本発明の第１実施形態について詳細に説明する。図１には、本発明の実施形態に係る燃料電池システム１０Ａの主要構成の概略が示されている。本発明の実施形態に係る燃料電池システム１０Ａは、主要な構成として、原料熱交換部１２、改質部１４、第１燃料電池セルスタック１６、第２燃料電池セルスタック１８、燃焼部２０、燃料再生部２２、原料ガス供給ブロワ２４、空気供給ブロワ２８、空気予熱部３２、空気熱交換部３４を備えている。
【００２６】
原料熱交換部１２には、原料ガス供給管Ｐ１の一端が接続されており、原料ガス供給管Ｐ１から原料熱交換部１２へ、原料ガスが供給される。原料熱交換部１２では、後述する第２カソード１８Ｂからのカソードオフガスにより原料ガスが加熱される。原料熱交換部１２で加熱された原料ガスは、配管Ｐ３を経て改質部１４へ供給される。
【００２７】
なお、本実施形態では、原料ガスとしてメタンを用いるが、改質が可能なガスであれば特に限定されず、炭化水素燃料を用いることができる。炭化水素燃料としては、天然ガス、ＬＰガス（液化石油ガス）、石炭改質ガス、低級炭化水素ガスなどが例示される。低級炭化水素ガスとしては、メタン、エタン、エチレン、プロパン、ブタン等の炭素数４以下の低級炭化水素が挙げられ、本実施形態で用いるメタンが好ましい。なお、炭化水素燃料としては、上述した低級炭化水素ガスを混合したものであってもよく、上述した低級炭化水素ガスは天然ガス、都市ガス、ＬＰガス等のガスであってもよい。また、バイオガスを用いてもよい。
【００２８】
改質部１４では、原料ガスを改質し、水素及び一酸化炭素を含む燃料ガスを生成する。改質部１４は、第１燃料電池セルスタック１６の第１アノード（燃料極）１６Ａと接続されている。改質部１４で生成された燃料ガスは、燃料ガス管Ｐ４を介して第１燃料電池セルスタック１６の第１アノード１６Ａに供給される。
【００２９】
第１燃料電池セルスタック１６は固体酸化物形の燃料電池セルスタックであり、複数の燃料電池セルを有している。第１燃料電池セルスタック１６は本発明における燃料電池（第１燃料電池）の一例であり、本実施形態では、作動温度が６５０℃程度とされている。個々の燃料電池セルは、電解質層と、当該電解質層の表裏面にそれぞれ積層された第１アノード１６Ａ、及び第１カソード（空気極）１６Ｂと、を有している。
【００３０】
なお、第２燃料電池セルスタック１８についての基本構成は、第１燃料電池セルスタック１６と同様であり、第１アノード１６Ａに対応する第２アノード１８Ａ、及び第１カソード１６Ｂに対応する第２カソード１８Ｂを有している。
【００３１】
第１燃料電池セルスタック１６の第１カソード１６Ｂには、空気供給管Ｐ５（Ｐ５Ｃ）の一端が接続されており、空気供給管Ｐ５（Ｐ５Ａ）の他端に接続された空気供給ブロワ２８により、後述する空気予熱部３２、空気熱交換部３４を経た空気が供給される。第１カソード１６Ｂでは、下記（１）式に示すように、空気中の酸素と電子とが反応して酸素イオンが生成される。生成された酸素イオンは電解質層を通って第１燃料電池セルスタック１６の第１アノード１６Ａに到達する。
【００３２】
（空気極反応）
１／２Ｏ２＋２ｅ− →Ｏ２−  …（１）
【００３３】
また、第１カソード１６Ｂには、第１カソード１６Ｂから排出されるカソードオフガスを第２燃料電池セルスタック１８の第２カソード１８Ｂへ案内するカソードオフガス管Ｐ６が接続されている。
【００３４】
一方、第１燃料電池セルスタック１６の第１アノード１６Ａでは、下記（２）式及び（３）式に示すように、電解質層を通ってきた酸素イオンが燃料ガス中の水素及び一酸化炭素と反応し、水(水蒸気)及び二酸化炭素と電子が生成される。第１アノード１６Ａで生成された電子が第１アノード１６Ａから外部回路を通って第１カソード１６Ｂに移動することで、各燃料電池セルにおいて発電される。また、各燃料電池セルは、発電時に発熱する。
【００３５】
（燃料極反応）
Ｈ２ ＋Ｏ２− →Ｈ２Ｏ＋２ｅ−  …(２)
ＣＯ＋Ｏ２− →ＣＯ２＋２ｅ−  …(３)
【００３６】
第１燃料電池セルスタック１６の第１アノード１６Ａにはアノードオフガス管Ｐ７の一端が接続されており、アノードオフガス管Ｐ７には、第１アノード１６Ａからアノードオフガスが排出される。アノードオフガスには、未反応の水素、未反応の一酸化炭素、二酸化炭素及び水蒸気等が含まれている。
【００３７】
なお、本発明の燃料電池としては、固体酸化物形の燃料電池(SOFC：Solid Oxide Fuel Cell)に限られるものではなく、他の燃料電池、例えば溶融炭酸塩形燃料電池(MCFC)であってもよい。
【００３８】
アノードオフガス管Ｐ７の他端は、燃料再生部２２と接続されている。燃料再生部２２は、アノードオフガスから、二酸化炭素、水の少なくとも一方を除去する。燃料再生部２２としては、例えば、凝縮器、水蒸気分離膜、二酸化炭素分離膜、二酸化炭素吸収剤等を用いることができる。
【００３９】
アノードオフガスは、アノードオフガス管Ｐ７に送出され、空気予熱部３２を経て燃料再生部２２へ供給される。空気予熱部３２では、空気供給管Ｐ５から流入した空気と、第１アノード１８Ａから送出されてアノードオフガス管Ｐ７を経て流入したアノードオフガスとで熱交換が行われる。熱交換により、空気が加熱され、アノードオフガスが冷却される。
【００４０】
燃料再生部２２では、二酸化炭素及び水の少なくとも一方の濃度が低減される。二酸化炭素及び水の少なくとも一方の濃度が低減されたアノードオフガスは、再生燃料ガスとして、再生燃料ガス管Ｐ９へ送出される。再生燃料ガス管Ｐ９は、第２燃料電池セルスタック１８のアノード１８Ａと接続されており、再生燃料ガスは、再生燃料ガス管Ｐ９を経て、第２燃料電池セルスタック１８の第２アノード１８Ａに供給される。
【００４１】
本実施形態の燃料電池システム１０Ａは、第１燃料電池セルスタック１６で使用された燃料であるアノードオフガスが再生されて、燃料ガスとして第２燃料電池セルスタック１８で再利用される多段式の燃料電池システムとなっている。
【００４２】
第２燃料電池セルスタック１８の第２アノード１８Ａ及び第２カソード１８Ｂでは、第１燃料電池セルスタック１６と同様の反応により発電が行われる。
【００４３】
第２アノード１８Ａには、アノードオフガス管Ｐ１０の一端が接続され、アノードオフガス管Ｐ１０の他端は燃焼部２０に接続されている。第２アノード１８Ａから排出されたアノードオフガスは、アノードオフガス管Ｐ１０を経て燃焼部２０へ供給される。
【００４４】
燃焼部２０は、改質部１４と隣接されており、燃焼部２０の燃焼熱が改質部１４へ供給される。
【００４５】
第２カソード１８Ｂには、カソードオフガス管Ｐ１１の一端が接続され、カソードオフガス管Ｐ１１は、分岐部Ｂ１で熱交換用オフガス管Ｐ１１Ａと燃焼用オフガス管Ｐ１１Ｂに分岐されている。熱交換用オフガス管Ｐ１１Ａは、原料熱交換部１２と接続され、燃焼用オフガス管Ｐ１１Ｂは、燃焼部２０と接続されている。
【００４６】
第２カソード１８Ｂから排出されたカソードオフガスは、分岐部Ｂ１で分岐され、分岐された一方は、熱交換用オフガス管Ｐ１１Ａを経て原料熱交換部１２へ供給される。分岐された他方は、燃焼用オフガス管Ｐ１１Ｂを経て燃焼部２０へ供給される。
【００４７】
燃焼部２０からは、燃焼排ガスが送出される。燃焼排ガスは、燃焼排ガス管Ｐ１２内を流通し、空気熱交換部３４での熱交換を経て排出される。空気熱交換部３４では、空気予熱部３２で予熱された空気が空気供給管Ｐ５Ｂを経て空気熱交換部３４へ流入し更に加熱される。また、燃焼排ガス管Ｐ１２を経て流入した燃焼排ガスが冷却される。空気熱交換部３４で加熱された空気は、第１カソード１８Ｂへ供給される。
【００４８】
次に、本実施形態の燃料電池システム１０Ａの動作について説明する。
【００４９】
燃料電池システム１０Ａにおいては、原料ガス供給ブロワ２４によって、原料ガス供給管Ｐ１へ原料ガスが送出される。送出された原料ガスは、原料熱交換部１２で加熱され、配管Ｐ３を経て改質部１４へ供給される。
【００５０】
改質部１４へは、不図示の水蒸気供給管から水蒸気も供給され、原料ガスが改質反応により改質され、水素および一酸化炭素を含む燃料ガスが生成される。燃料ガスは燃料ガス管Ｐ４を介して第１燃料電池セルスタック１６の第１アノード１６Ａに供給される。
【００５１】
第１燃料電池セルスタック１６の第１カソード１６Ｂには、空気予熱部３２及び空気熱交換部３４で熱交換により加熱された空気が、空気供給管Ｐ５（Ｐ５Ａ、Ｐ５Ｂ、Ｐ５Ｃ）を経て供給される。これにより、第１燃料電池セルスタック１６では、前述の反応により発電が行われる。この発電に伴い燃料電池セルスタック１６の第１アノード１６Ａからは、アノードオフガスが排出される。また、第１カソード１６Ｂからは、カソードオフガスが排出される。カソードオフガスは、カソードオフガス管Ｐ６を通って第２燃料電池セルスタック１８の第２カソード１８Ｂへ供給される。
【００５２】
第１アノード１６Ａから排出されたアノードオフガスは、アノードオフガス管Ｐ７に導かれ、空気予熱部３２へ流入し、空気との熱交換後に燃料再生部２２へ供給される。燃料再生部２２では、アノードオフガスから、二酸化炭素、水の少なくとも一方が除去され、再生燃料ガスが生成される。再生燃料ガスは、再生燃料ガス管Ｐ９へ送出され、第２燃料電池セルスタック１８の第２アノード１８Ａへ供給される。
【００５３】
第２燃料電池セルスタック１８では、前述の反応により発電が行われる。第２アノード１８Ａからアノードオフガスが排出され、第２カソード１８Ｂからカソードオフガスが排出される。第２アノード１８Ａから排出されたアノードオフガスは、アノードオフガス管Ｐ１０を経て燃焼部２０へ供給される。第２カソード１８Ｂから排出されたカソードオフガスは、分岐部Ｂ１で分岐され、分岐された一方は、熱交換用オフガス管Ｐ１１Ａを経て原料熱交換部１２へ供給される。原料熱交換部１２では、熱交換により、原料ガスが加熱され、カソードオフガスが冷却される。分岐された他方は、燃焼用オフガス管Ｐ１１Ｂを経て燃焼部２０へ供給され、アノードオフガスの燃焼に供される。
【００５４】
燃焼部２０から排出された燃焼排ガスは、空気熱交換部３４へ送出され、空気予熱部３２で予熱された空気との熱交換が行われる。空気熱交換部３４では、空気が加熱され、燃焼排ガスが冷却される。空気熱交換部３４で加熱された空気は、第１カソード１８Ｂへ供給される。
【００５５】
本実施形態の燃料電池システム１０Ａでは、アノードオフガス管Ｐ７に設けられた空気予熱部３２において、アノードオフガスと空気とで熱交換が行われる。また、原料熱交換部１２において、カソードオフガスと原料ガスとで熱交換が行われる。さらに、空気熱交換部３４において、燃焼部２０から排出される燃焼排ガスと空気予熱部３２を経た空気とで熱交換が行われる。このように、アノードオフガス、カソードオフガスの各々が、第１燃料電池セルスタック１６または第２燃料電池セルスタック１８へ向かう流体と熱交換するので、システム内における熱を有効利用することができる。
【００５６】
また、空気は、燃焼排ガスとの熱交換よりも上流側でアノードオフガスと熱交換するので、燃料再生部２２へ向かうアノードオフガスを、水の凝縮温度や膜の作動温度まで、効果的に冷却することができる。
【００５７】
また、本実施形態では、燃料再生部２２で、アノードオフガス中の水及び二酸化炭素の少なくとも一方が除去されて再生燃料ガスが第２燃料電池セルスタック１８での発電に供されるので、第２燃料電池セルスタック１８での発電効率を高くすることができる。
【００５８】
また、カソードオフガス管Ｐ１１は、分岐部Ｂ１で熱交換用オフガス管Ｐ１１Ａと燃焼用オフガス管Ｐ１１Ｂに分岐されているので、カソードオフガスについて、圧力損失を少なくすることができる。これにより、空気供給ブロワ２８の出力を下げることができ、消費電力を抑制することができる。
【００５９】
［第２実施形態］
次に、本発明の第２実施形態について説明する。本実施形態では、第１実施形態と同様の部分については同一の符号を付して、詳細な説明を省略する。
【００６０】
図２には、本発明の第２実施形態に係る燃料電池システム１０Ｂが示されている。燃料電池システム１０Ｂは、第１実施形態で説明した燃料電池システム１０Ａと比較して、第２燃料電池セルスタック１８を有していない点が異なっている。
【００６１】
第１燃料電池セルスタック１６の第１アノード１６Ａにはアノードオフガス管Ｐ１０の一端が接続されており、アノードオフガス管Ｐ１０には、第１アノード１６Ａからアノードオフガスが排出される。アノードオフガス管Ｐ１０は、分岐部Ｂ２で循環用オフガス管Ｐ１０Ａと燃焼用オフガス管Ｐ１０Ｂに分岐されている。循環用オフガス管Ｐ１０Ａは、空気予熱部３２を経て燃料再生部２２と接続されている。燃焼用オフガス管Ｐ１０Ｂは、燃焼部２０と接続されている。
【００６２】
燃料再生部２２の下流側（出口側）には、再生燃料ガス管Ｐ９の一端が接続されており、再生燃料ガス管Ｐ９の他端は、原料ガス供給管Ｐ１に接続されている。燃料再生部２２から再生燃料ガス管Ｐ９へ再生燃料ガスが送出される。再生燃料ガス管Ｐ９には、ガス供給ブロワ２５が設けられており、再生燃料ガスを原料ガス供給管Ｐ１と合流させる。
【００６３】
本実施形態の燃料電池システム１０Ｂは、第１燃料電池セルスタック１６で使用された燃料であるアノードオフガスが再生されて、再度燃料ガスとして第１燃料電池セルスタック１６で再利用される循環式の燃料電池システムとなっている。
【００６４】
第１カソード１６Ｂには、カソードオフガス管Ｐ１１の一端が接続されており、カソードオフガス管Ｐ１１には、第１カソード１６Ｂからカソードオフガスが排出される。カソードオフガス管Ｐ１１は、分岐部Ｂ１で熱交換用オフガス管Ｐ１１Ａと燃焼用オフガス管Ｐ１１Ｂに分岐されている。熱交換用オフガス管Ｐ１１Ａは、原料熱交換部１２と接続され、燃焼用オフガス管Ｐ１１Ｂは、燃焼部２０と接続されている。
【００６５】
次に、本実施形態の燃料電池システム１０Ｂの動作について説明する。
【００６６】
第１燃料電池セルスタック１６の第１アノード１６Ａから排出されたアノードオフガスは、分岐部Ｂ２で分流れ、分流の一方は、循環用オフガス管Ｐ１０Ａに導かれ、空気予熱部３２へ流入し、空気との熱交換後に燃料再生部２２へ供給される。燃料再生部２２では、アノードオフガスから、二酸化炭素、水の少なくとも一方が除去され、再生燃料ガスが生成される。再生燃料ガスは、再生燃料ガス管Ｐ９へ送出され、原料ガス供給管Ｐ１へ合流し、原料ガスと共に原料熱交換部１２、改質部１４を経て、第１燃料電池セルスタック１６での発電に供される。
【００６７】
分流の他方は、燃焼用オフガス管Ｐ１０Ｂを経て燃焼部２０へ供給される。
【００６８】
第１カソード１６Ｂから排出されたカソードオフガスは、分岐部Ｂ１で分岐され、分岐された一方は、熱交換用オフガス管Ｐ１１Ａを経て原料熱交換部１２へ供給される。原料熱交換部１２では、熱交換により、原料ガスが加熱され、カソードオフガスが冷却される。分岐された他方は、燃焼用オフガス管Ｐ１１Ｂを経て燃焼部２０へ供給され、アノードオフガスの燃焼に供される。
【００６９】
本実施形態の燃料電池システム１０Ｂでは、循環用オフガス管Ｐ１０Ａに設けられた空気予熱部３２において、アノードオフガスと空気とで熱交換が行われる。また、原料熱交換部１２において、カソードオフガスと原料ガスとで熱交換が行われる。さらに、空気熱交換部３４において、燃焼部２０から排出される燃焼排ガスと空気予熱部３２を経た空気とで熱交換が行われる。このように、アノードオフガス、カソードオフガスの各々が、第１燃料電池セルスタック１６へ向かう流体と熱交換するので、システム内における熱を有効利用することができる。
【００７０】
また、空気は、燃焼排ガスとの熱交換よりも上流側でアノードオフガスと熱交換するので、燃料再生部２２へ向かうアノードオフガスを、水の凝縮温度や膜の作動温度まで、効果的に冷却することができる。
【００７１】
また、本実施形態では、燃料再生部２２で、アノードオフガス中の水及び二酸化炭素の少なくとも一方が除去されて再生燃料ガスが第１燃料電池セルスタック１６での発電に再度供給されるので、第１燃料電池セルスタック１６での発電効率を高くすることができる。
【００７２】
なお、第１、第２実施形態では、改質部１４で原料ガスの改質が行われ、改質後の燃料ガスが第１燃料電池セルスタック１６の第１アノード１６Ａへ供給される例について説明したが、原料ガスの改質は、第１アノード１６Ａで行われてもよい。すなわち、改質部１４を備えず、原料ガス供給管Ｐ１を直接第１アノード１６Ａへ接続して、原料ガスを第１アノード１６Ａへ供給し、改質部を兼ねた第１アノード１６Ａで改質を行ってもよい。
【符号の説明】
【００７３】
１０Ａ、１０Ｂ  燃料電池システム
１２  原料熱交換部（燃料熱交換部）
１４   改質部
１６   第１燃料電池セルスタック（燃料電池）
１６Ａ  第１アノード（燃料極）
１６Ｂ  第１カソード（空気極）
１８  第２燃料電池セルスタック（燃料電池）
１８Ａ  第２アノード（燃料極）
１８Ｂ  第２カソード（空気極）
２０  燃焼部
２２  燃料再生部
３２  空気予熱部
３４  空気熱交換部
Ｐ７  アノードオフガス管（アノードオフガス再利用路）
Ｐ９  再生燃料ガス管（アノードオフガス再利用路）
Ｐ１０Ａ  循環用オフガス管（アノードオフガス再利用路）
【要約】
【課題】燃料電池システムにおいて、システム内で発電時に発生する熱を、内部で有効利用することで、発電システムの効率を向上させる。
【解決手段】アノードオフガスを第２燃料電池セルスタックでの発電に供するアノードオフガス管Ｐ７を有し、アノードオフガス管Ｐ７に設けられた空気予熱部３２では、アノードオフガスと第１燃料電池セルスタック１６の第１カソード１６Ｂへ向かう空気とで熱交換が行われる。原料熱交換部１２では、カソードオフガスと原料ガスとで熱交換が行われる。
【選択図】図１【図１】
0006755424.tif 000002
【図２】
0006755424.tif 000003